(57)【特許請求の範囲】
【請求項１】
左右に離隔した両支柱の前後両方に天板等を取付けるようにした作業台における支柱構造であって、
前記支柱の側壁となる基片と、該基片の両端から対向する支柱方向に延びる一対の第１前後片と、該一対の第１前後片の先端から基片とほぼ平行に内方へと延びる一対の中間片と、該一対の中間片の先端から対向する支柱方向に延びる一対の第２前後片と、からなり、前記各一対の第１前後片と前記第２前後片には、上下方向に連続して多数の係止孔が設けられてなることを特徴とする作業台における支柱構造。
【請求項２】
前記一対の第２前後片の先端が再度内方に折り返され、前後の補強片が形成されている請求項１に記載の作業台における支柱構造。
【請求項３】
前記基片に、大寸の配線孔が設けられている請求項１または２に記載の作業台における支柱構造。
【請求項４】
前記第１前後片に挿通孔が形成され、この挿通孔を利用して隣り合う支柱同士を連結する連結部材が設けられている請求項１ないし３のいずれかに記載の作業台における支柱構造。
【発明の詳細な説明】
【０００１】
【発明の属する技術分野】
本発明は、左右に離隔した両支柱の前後両方または一方に天板等を取付けるようにした作業台における支柱構造に関する。
【０００２】
【従来の技術】
従来から、図７に示すように、断面略方形の支柱０１に、上下方向に連続する係止孔０２を並設し、この係止孔に棚等を取付けるためのブラケット０３の後端に複数設けられらた係止爪０４を係止させることで、ブラケット０３を支柱０１に取付けるようにした作業台における支柱構造が知られている。
【０００３】
【発明が解決しようとする課題】
しかしながら、上記のような支柱構造における支柱０１は、断面が略方形に形成されているので、係止孔０２にブラケット０３を係止させた際、その係止部分が外部に露呈してしまうばかりか、支柱０１を真横から眺くと、ブラケット０３における係止爪０４を持たない部分と支柱０１との間に隙間ができ、外観上問題があった。
【０００４】
本発明は、このような問題点に着目してなされたもので、棚等を取付けるためのブラケットを外観良く取付けることができる作業台における支柱構造を提供することを目的とする。
【０００５】
【課題を解決するための手段】
上記課題を解決するために、本発明の作業台における支柱構造は、左右に離隔した両支柱の前後両方に天板等を取付けるようにした作業台における支柱構造であって、
前記支柱の側壁となる基片と、該基片の両端から対向する支柱方向に延びる一対の第１前後片と、該一対の第１前後片の先端から基片とほぼ平行に内方へと延びる一対の中間片と、該一対の中間片の先端から対向する支柱方向に延びる一対の第２前後片と、からなり、前記各一対の第１前後片と前記第２前後片には、上下方向に連続して多数の係止孔が設けられてなることを特徴としている。
この特徴によれば、第１前後片よりも中間片を介して奥まった位置となる第２前後片に形成された係止孔に、棚等に設けられたブラケットを係止できるので、ブラケットの係止部分が中間片に隠蔽されて外方に露呈することがなく、支柱に対してブラケットを外観良く取付けることができる。また前後の作業台に各々必要な、天板等を、一対の第１前後片と一対の第２前後片の両係止孔を用いて利用者が自由に配置を選択して取り付けることができ、更に前後の作業台に対し共用できるような例えば配線ダクト等は一対の第２前後片の両係止孔を利用して両支柱の中央部に取り付けることもできる。
【０００６】
本発明の作業台における支柱構造は、前記一対の第２前後片の先端が再度内方に折り返され、前後の補強片が形成されていることが好ましい。
このようにすれば、補強片により、第２前後片が補強されるので、ブラケットの取付け時に、第２前後片に加重されても支柱のゆがみ等が規制される。
【０００７】
本発明の作業台における支柱構造は、前記基片に、大寸の配線孔が設けられていることが好ましい。
このようにすれば、支柱の断面が多数折り返されているので、支柱の強度が損なわれることなく、大寸の配線孔を設けることができ、そこから作業台の内方に配線を挿通することができる。
【０００８】
本発明の作業台における支柱構造は、前記第１前後片に挿通孔が形成され、この挿通孔を利用して隣り合う支柱同士を連結する連結部材が設けられていることが好ましい。
このようにすれば、作業台を並設して用いる際に、第１前後片の挿通孔を利用して連結部材を支柱に取付けることができるので、第２前後片の係止孔は、この連結用の挿通孔の存在にかかわらず上下に形成可能である。
【０００９】
【発明の実施の形態】
以下、本発明の実施例を図面に基づいて説明すると、図１には、本実施例における支柱構造が適用された作業台１が並設された状態が示されており、各作業台１は、左右に離間して配置された支柱２と、これら支柱２を立設させる脚部１２と、支柱２同士を上下で互いに連結する連結杆１３、１４とから主に構成されている。
【００１０】
各支柱２の前後には、ブラケット３を介して天板４が取付けられているとともに、その上方には、棚１６や掛止ネット１７が取付けられている。さらに、支柱２の上部開口（図示略）には、照明器具等が取付けられた天端枠１９を支持する略Ｌ字状の上部支持材１８の下端部が嵌挿され、支柱２に固着されている。
【００１１】
支柱２は、図２〜図５に示されるように、スチール材等を折曲げ成形してなり、側壁となる基片２ｃと、この基片２ｃの両側から対向する支柱２方向に延びる第１前後片２ａと、これら第１前後片２ａの先端から基片２ｃとほぼ平行に内方へと延びる中間片２ｅとからなる幅広部と、これら中間片２ｅの先端から対向する支柱２方向に延びる第２前後片２ｂと、これら第２前後片２ｂの先端から内方に再度折り返された補強片２ｄとからなる幅狭部と、から構成された内部が中空の断面略凸状となるように形成されている。
【００１２】
第１前後片２ａ及び第２前後片２ｂには、ブラケット３、１５、掛止ネット１７、配線ダクト５に各々形成された係止爪３ａ、１５ｃ、１７ｂ、１０ｅが係合可能な係止孔７、８が上下方向に複数穿設されている。
【００１３】
また、基片２ｃには、大寸の配線孔９（図１参照）が設けられており、この配線孔９を介してコード類Ｃを挿通して配線ダクト５内にコード類Ｃを収容できるようになっている。
【００１４】
ブラケット１５は、図２（ａ）、（ｂ）に示されるように、後端に係止孔８に係合可能な係止爪１５ｃが設けられているとともに、その前部近傍には、一対のボルト挿通孔１５ａが穿設されている。
【００１５】
棚１６は、上方が開口する略方形の箱状に形成され、その側板内面には、ブラケット１５のボルト挿通孔１５ａより挿通されるボルト１５ｂが螺入される雌ねじ部１６ａが溶着されている。
【００１６】
よって、ボルト１５ｂをボルト挿通孔１５ａに側方から挿通して雌ねじ部１６ａに螺入することで、ブラケット１５と棚１６とを一体化し、ブラケット１５の係止爪１５ｃを所望の係止孔８に係合させることで支柱２に取付けでき、内部に工具を収容できるようになっている。
【００１７】
掛止ネット１７は、図３（ａ）、（ｂ）に示されるように、左右端部に形成される折り返し片１７ｄの後端に係止孔８に係合可能な係止爪１７ｂが形成された枠部材１７ａと、この枠部材１７ａの内側に端部を溶着して取付けられる格子状の掛止杆１７ｃとからなる。
【００１８】
掛止ネット１７は、係止爪１７ｂを所望の高さの係止孔８に係合させることで支柱２に取付けできるようになっており、掛止杆１７ｃに工具等を掛止できるようになっている。なお、折り返し片１７ｄの前後幅は支柱２の中間片２ｅとほぼ同寸に形成されており、掛止ネット１７の取付け時において、掛止ネット１７の前面が支柱２の第１前後片２ａとほぼ面一となるため、外観良く取付けできる。
【００１９】
図４に示されるように、配線ダクト５は、底面板１０ａと側面板１０ｂとからなる断面略Ｌ字形に形成された１対の枠部材１０、１０で構成されるようになっている。側面板１０ｂの上端辺には、互いの対向方向に屈曲する屈曲片１０ｃが設けられているとともに、その左右端部には、中央側に係止孔８に係合可能な係止爪１０ｅが形成された係止片１０ｄが下方に延びるように設けられている。
【００２０】
これら各枠部材１０、１０を、両支柱２の前後から、係止爪１０ｅを所望の係止孔８に係合させることで、左右の支柱２、２の間に、上方が開口する断面略コ字形の配線ダクト５が構成され、その内部にコード類Ｃが収容できるようになる。
【００２１】
図４中６は、配線ダクト５の上部開口を覆う配線ダクトカバーであり、この配線ダクトカバー６は、左右幅が左右の支柱２における中間片２ｅ同士の離間幅とほぼ同寸に形成されており、その左右端部には、支柱２の幅狭部に嵌合可能な切欠き６ｄが形成されている。
【００２２】
また、配線ダクトカバー６の前後の端縁から下向きに屈曲する屈曲片６ａ下端部には、上方に屈曲する折り返し片６ｂが形成されており、配線ダクト５への取付時において折り返し片６ｂが配線ダクト５の上縁を挟み込むように取付けられる。
【００２３】
さらに、取付け時において左右の切欠き６ｄが支柱２の嵌合部に嵌合されるので、配線ダクト５の取付け時における前後左右方向のがたつきが抑制されるようになっている。
【００２４】
図４中１１は、金属部材からなる外れ止め部材であり、左右端部に前後の係止孔８にそれぞれ係合可能な係止部１１ａと、取付け時に配線ダクトカバー６の上面に当接する当接片１１ｂとを有し、上面視略コ字形に形成されている。
【００２５】
外れ止め部材１１は、係止部１１ａを支柱２の係止孔８に係合することで、支柱２に一体的に取付けられるため、当接片１１ｂの面圧により配線ダクトカバー６の上下のがたつきや上方への逸脱が防止される。
【００２６】
ブラケット３は、後端に係止孔８に係合可能な係止爪３ａが上下方向に複数設けられており、内方に折り返され折曲片には挿通孔３ｂが穿設されている。
【００２７】
ブラケット３は、その係止爪３ａを係止孔７に係合することで支柱２に取付けできるようになっており、このブラケット３の上部に天板４を載置した後、下方から固定ねじ３ｃを挿通孔３ｂを介して天板４に螺入することで、ブラケット３と天板４とが一体に固定される。これにより、支柱２に取付けられた天板４が適宜作業板として利用可能となる。
【００２８】
この時、配線ダクト５が取付けられた係止孔８とほぼ同高さ位置となる係止孔７にブラケット３を係合させることができるので、天板４の上面と配線ダクトカバー６の上面とを面一状態で取付けできる。
【００２９】
図１及び図５に示されるように、支柱２における第１前後片２ａの上下端部近傍にはボルト挿通孔２ｆが穿設されており、これらボルト挿通孔２ｆが穿設された第１前後片２ａの内面にはナット２ｇが溶着されている。
【００３０】
図５中２０は、金属製の連結部材であり、この連結部材２０の下部には、支柱２への取付け時に、ボルト挿通孔２ｆと対応する位置に切欠き２０ａが設けられている。
【００３１】
連結部材２０を、その切欠き２０ａとボルト挿通孔２ｆとが対応するように配置し、側方からボルト２０ｂを、切欠き２０ａ及びボルト挿通孔２ｆを介してナット２ｇに螺入し締結することで、並設する支柱２、２同士を連結できるようになっている。
【００３２】
以上のように構成された作業台１における支柱２にあっては、第１前後片２ａよりも中間片２ｅを介して奥まった位置となる第２前後片２ｂに形成された係止孔８に、棚１６を取付けるブラケット１５や掛止ネット１７を係合できるので、ブラケット１５や掛止ネット１７の係合部分が中間片２ｅに隠蔽されて外方に露呈することがなく、支柱２に対して外観良く取付けることができる。
【００３３】
また、枠部材１７ａにおける折り返し片１７ｄを中間片２ｅとほぼ同寸の前後幅に形成した掛止ネット１７を第２前後片２ｂの係止孔８に取付けることで、掛止ネット１７を、その前面が第１前後片２ａとほぼ面一となるように取付けることができる。
【００３４】
さらに、配線ダクト５を構成する２つの枠部材１０を第２前後片２ｂの係止孔８に取付けることで、支柱２の第１前後片２ａから前後に突出させることなく、配線ダクト５を取付けることができるばかりか、それとほぼ同じ高さの係止孔７にブラケット３を介して天板４を取付けることで、配線ダクト５の上部と天板４の表面とを面一に取付けることができる。
【００３５】
また、第２前後片２ｂの先端が再度内方に折り返され、前後の補強片２ｄが形成されており、この補強片２ｄにより、第２前後片２ｂが補強されるので、ブラケット３や掛止ネット１７等の取付け時に、第２前後片２ｂに加重されても支柱２のゆがみ等が規制される。
【００３６】
また、支柱２の断面が多数折り返されているので、支柱２の強度が損なわれることなく、大寸の配線孔９を設けることができ、そこから作業台１の内方にコード類Ｃを挿通することができる。
【００３７】
また、作業台１を並設して用いる際に、第１前後片２ａのボルト挿通孔２ｆを利用して連結部材２０を支柱２に取付けることができるので、第２前後片２ｂの係止孔８は、この連結用のボルト挿通孔２ｆの存在にかかわらず上下に形成可能である。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、図６に示されるように、第２前後片２ｂが一方のみに形成された支柱２’においても、ブラケット１５の、係止孔８への係止部分が中間片２ｅにより隠蔽され、上記実施例と同様、ブラケット１５を支柱２に外観良く取付けることができる。
【００４０】
また、第１前後片２ａの係止孔７を設けず、棚や天板は、その係止爪を全て第２前後片２ｂの係止孔８に係合させて、取付けられていても良い。
【００４１】
【発明の効果】
本発明は以下の効果を奏する。
【００４２】
（ａ）請求項１項の発明によれば、第１前後片よりも中間片を介して奥まった位置となる第２前後片に形成された係止孔に、棚等に設けられたブラケットを係止できるので、ブラケットの係止部分が中間片に隠蔽されて外方に露呈することがなく、支柱に対してブラケットを外観良く取付けることができる。また前後の作業台に各々必要な、天板等を、一対の第１前後片と一対の第２前後片の両係止孔を用いて利用者が自由に配置を選択して取り付けることができ、更に前後の作業台に対し共用できるような例えば配線ダクト等は一対の第２前後片の両係止孔を利用して両支柱の中央部に取り付けることもできる。
【００４３】
（ｂ）請求項２項の発明によれば、補強片により、第２前後片が補強されるので、ブラケットの取付け時に、第２前後片に加重されても支柱のゆがみ等が規制される。
【００４４】
（ｃ）請求項３項の発明によれば、支柱の断面が多数折り返されているので、支柱の強度が損なわれることなく、大寸の配線孔を設けることができ、そこから作業台の内方に配線を挿通することができる。
【００４５】
（ｄ）請求項４項の発明によれば、作業台を並設して用いる際に、第１前後片の挿通孔を利用して連結部材を支柱に取付けることができるので、第２前後片の係止孔は、この連結用の挿通孔の存在にかかわらず上下に形成可能である。
【図面の簡単な説明】
【図１】本発明の支柱構造が適用された作業台を示す斜視図である。
【図２】（ａ）は、図１における支柱と棚の分解図であり、（ｂ）は、（ａ）が取付けられた状態を示す一部破断図である。
【図３】（ａ）は、図１における支柱と掛止ネットの分解図であり、（ｂ）は、（ａ）が取付けられた状態を示す一部破断図である。
【図４】図１における支柱と配線ダクト及び天板の分解図である。
【図５】図１の支柱２が並設した状態を示す一部破断図である。
【図６】本発明の支柱構造の変形例を示す一部破断図である。
【図７】本発明の従来技術を示す一部破断図である。
【符号の説明】
１        作業台
２、２’  支柱
２ａ      第１前後片
２ｂ      第２前後片
２ｃ      基片
２ｄ      補強片
２ｅ      中間片
２ｆ      ボルト挿通孔（挿通孔）
２ｇ      ナット
３        ブラケット
３ａ      係止爪
３ｂ      挿通孔
４        天板
５        配線ダクト
６        配線ダクトカバー
６ａ      屈曲片
６ｂ      折り返し片
７、８    係止孔
９        配線孔
１０      枠部材
１０ａ    底面板
１０ｂ    側面板
１０ｃ    屈曲片
１０ｄ    係止片
１０ｅ    係止爪
１１      抜け止め部材
１１ａ    係止部
１１ｂ    当接片
１２      脚部
１３、１４連結杆
１５      ブラケット
１５ａ    ボルト挿通孔
１５ｂ    ボルト
１５ｃ    係止爪
１６      棚
１６ａ    ナット
１７      掛止ネット
１７ａ    枠部材
１７ｂ    係止爪
１７ｃ    掛止杆
１７ｄ    折り返し片
１８      上部支持材
１９      天端枠
２０      連結部材
２０ａ    切欠き
２０ｂ    ボルト
Ｃ        コード類
【図１】
0004472055.tif 000002
【図２】
0004472055.tif 000003
0004472055.tif 000004
【図３】
0004472055.tif 000005
0004472055.tif 000006
【図４】
0004472055.tif 000007
【図５】
0004472055.tif 000008
【図６】
0004472055.tif 000009
【図７】
0004472055.tif 000010